(57)【要約】【課題】電子番組表を表示した時にユーザが見たいと思っている放送番組をすぐに認識すること。【解決手段】放送番組をチューナ２が受信したデジタル放送番組を多重分離部３が音声と映像とに分離して音声復号８および映像復号部４に復号して再生している際、ユーザによりリモコン１８のキャプチャボタンが押下されると、ＣＰＵ１３は、その指令を受けて、現在再生中の放送番組から番組画像を取り込み不揮発性メモリ１２に記憶しておく。そして、ＣＰＵ１３は、電子番組表を表示し、その番組がカーソル等により指定された際、不揮発性メモリ１２に記憶された番組画像を読み出して電子番組表に表示する。【選択図】図１
2008187442.tif 000002
【特許請求の範囲】
【請求項１】
デジタル放送番組を受信して表示すると共に、そのデジタル放送番組の内容を示す電子番組表を表示するようにしたデジタル放送受信装置であって、
前記デジタル放送番組を受信する受信手段と、
前記受信手段によって受信されたデジタル放送番組から番組画像を取り込む番組画像取込手段と、
前記番組画像取込手段によって取り込まれた画像を記憶する記憶手段と、
前記電子番組表を表示する際、前記記憶手段に記憶された番組画像を表示するよう制御する表示制御手段と、
を有するデジタル放送受信装置。
【請求項２】
請求項１記載のデジタル放送受信装置において、
前記表示制御手段は、
前記電子番組表における各放送番組の内容を示す番組内容表示欄であって、前記番組画像取込手段によって前記番組画像が取り込まれた前記番組内容表示欄が選択された場合、前記番組内容表示欄とは別の番組画像表示欄に前記番組画像を表示するデジタル放送受信装置。
【請求項３】
請求項１記載のデジタル放送受信装置において、
前記表示制御手段は、
前記電子番組表における各放送番組の内容を示す番組内容表示欄であって、前記番組画像取込手段によって前記番組画像が取り込まれた前記番組内容表示欄が選択された場合、前記番組内容表示欄に前記番組画像を表示するデジタル放送受信装置。
【発明の詳細な説明】
【技術分野】
【０００１】
本発明は、デジタル放送番組を受信して表示すると共に、そのデジタル放送番組の内容を示す電子番組表（ＥＰＧ）を表示する電子番組表に関するものである。
【背景技術】
【０００２】
近年普及しているＢＳ、ＣＳ、地上デジタルなどのデジタル放送では、数多くのチャンネルが存在している。さらにユーザがデジタル放送番組を快適に視聴できるための有用なデータも含まれている。その中には電子番組表（ＥＰＧ）用のデータが含まれ、それを受信したデジタル放送受信装置は、新聞紙で見るようなラテ欄（ラジオ・テレビ欄）のような形式で画面上に電子番組表を提示する。ユーザはこれを見ることにより新聞紙やテレビ電子番組表が掲載されている雑誌などに目を移すことなく、その場で現在あるいはこの先どのような番組があるのかを知ることができる（例えば、特許文献１〜３参照）。
【特許文献１】特開平６−２７６５０１号公報
【特許文献２】特開２０００−１８４２９９号公報
【特許文献３】特開２００１−３３３３４５号公報
【発明の開示】
【発明が解決しようとする課題】
【０００３】
しかし、上記特許文献１〜３に記載されているＥＰＧでは、放送で送信される電子番組表データをもとにした文字からなる番組情報であるので、新聞のラテ欄のように文字だけの電子番組表となるか、あるいは、例えば広告などが小さく載る程度であるため、ユーザがリモコン操作などによって電子番組表を提示させて、それを見てすぐには好みの番組を探すことは困難である、という問題があった。
【０００４】
そこで、本発明は、電子番組表を表示した時にユーザが見たいと思っている放送番組をすぐに認識することができるデジタル放送受信装置を提供することを目的とする。
【課題を解決するための手段】
【０００５】
上記目的を達成するため、本発明に係るデジタル放送受信装置は、デジタル放送番組を受信して表示すると共に、そのデジタル放送番組の内容を示す電子番組表を表示するようにしたデジタル放送受信装置であって、前記デジタル放送番組を受信する受信手段と、前記受信手段によって受信されたデジタル放送番組から番組画像を取り込む番組画像取込手段と、前記番組画像取込手段によって取り込まれた画像を記憶する記憶手段と、前記電子番組表を表示する際、前記記憶手段に記憶された番組画像を表示するよう制御する表示制御手段と、を有するものである。ここで、前記表示制御手段は、前記番組画像取込手段によって前記番組画像が取り込まれた放送番組の内容を示す番組内容表示欄が選択された場合、前記番組内容表示欄とは別の番組画像表示欄に前記番組画像を表示するようにしても良いし、その番組内容表示欄に前記番組画像を表示するようにしても良い。
【発明の効果】
【０００６】
本発明によれば、放送番組から番組画像を取り込み記憶しておき、電子番組表を表示する際にその記憶された番組画像を表示するので、ユーザはその番組画像を参照して電子番組表から好みの放送番組を選択することが可能であり、ユーザが視聴を欲する番組を簡単に見つけることができ、視認性を高めることができると共に、ユーザが最も印象強いと思ったシーンをユーザ自身が指定できるので、番組名との一致性をより向上させることができる。
【発明を実施するための最良の形態】
【０００７】
図１は、本発明に係るデジタル放送受信装置の構成例を示すブロック図である。
【０００８】
図１において、本実施の形態１のデジタル放送受信装置は、アンテナ１で受信した放送電波を復調及びデジタル化するチューナ２と、デジタル化された放送データを圧縮された放送映像データと、圧縮された放送音声データに分離して送出する多重分離部３と、圧縮された放送映像データを伸張して復号する放送映像データ復号部４と、圧縮された放送音声データを伸張して復号する放送音声データ復号部８と、復号された放送映像データとメニュー画面データやデータ放送コンテンツに含まれるグラフィックスデータとを重畳するグラフィックス映像ミックス部６と、不揮発性メモリ１２または作業メモリ１４の音声データを再生する効果音再生部５と復号された放送音声データと効果音再生部で取得された内蔵音データまたはデータ放送コンテンツに含まれるコンテンツ音声データとを合成する音声合成部９と、重畳された映像データを出力する映像出力部７と、合成された音声データを出力する音声出力部と１０、チューナから音声出力部の各構成部とバス１６を介して接続されこれらの構成部を制御するＣＰＵ１３とを有する。
【０００９】
ＣＰＵ１３には、さらにＣＰＵ１３が上記の各構成部を制御するためのソフトウェアを格納するプログラムメモリ１５と、番組選局の履歴や個人情報、記憶すべき設定情報、内蔵音データ、メニュー画面データなどを格納する不揮発性メモリ１２と、ＣＰＵが制御処理を行う際に使用する作業メモリ１４と、リモコン１８から送信される赤外線によりコマンドを取得するリモコンＩ／Ｆ１１とがバス１６により接続されている。
【００１０】
図２は、図１に示すリモコン１８の外観の一例を示す図である。
【００１１】
図２に示すように、リモコン１８には、通常のテンキーや、音量増減キー、決定ボタン等の一般的なキー以外に、ユーザが視聴している放送番組からその一部の番組画像をキャプチャすることを指示するキャプチャボタン１９と、電子番組表の表示指令を送信する電子番組表ボタン２０等が設けられている。
【００１２】
次に、本実施形態におけるデジタル放送受信装置において、放送電波を受信した時の動作について説明する。
【００１３】
まず、チューナ２においてアンテナ１から受信された電波から放送データが取得される。
【００１４】
取得された放送データは、多重分離部３において放送映像データと放送音声データとに分離される。
【００１５】
分離された放送映像データは、映像データ復号部４に送出され、放送音声データは音声データ復号部８に送出される。
【００１６】
映像データ復号部４は、圧縮された放送映像データを復号し、グラフィックス映像ミックス部６へ出力する。
【００１７】
グラフィックス映像ミックス部６は、映像データ復号部４からの放送映像データに不揮発性メモリ１２から取得したメニュー画面データや受信したデータ放送コンテンツに含まれるグラフィックスデータを重畳して、映像出力部７を介し図示しないディスプレイへ出力し表示する。
【００１８】
ここまでの動作は、通常動作である。
【００１９】
次に、以上のような構成および機能を持つデジタル放送受信装置において、ユーザがある番組を見ている時に、その番組を再度視聴したいと思ったとき番組画像の取得および表示動作について説明する。
【００２０】
以降の説明を図３および図４に示すフローチャート、および図５に示すディスプレイに表示される電子番組表の一例を参照して説明する。
【００２１】
図３は、本実施の形態１における番組画像の取得処理手順を示すフローチャートである。
【００２２】
ユーザがある番組を見ている時に、その番組を再度視聴したいと思ったとき、ユーザによりリモコン１８の番組画像のキャプチャボタン１９が押されると、リモコン１８からデジタル放送受信装置に対し現在ディスプレイ（図示せず）に表示されている番組画像のキャプチャ信号が送信される。
【００２３】
デジタル放送受信装置では、リモコン１８から送信された信号をリモコンＩ／Ｆ１１が受信し、ＣＰＵ１３がリモコン１８から信号を受け取ったことを認識する。ＣＰＵ１３はリモコン操作情報を解析し、キャプチャボタン１９が押されたことを認識する（Ｓ１）。
【００２４】
次に、ＣＰＵ１３は、キャプチャボタン１９が押されたことを認識すると（Ｓ１“ＹＥＳ”）、番組画像の記憶先である不揮発性メモリ１２に番組画像を記憶するための空き領域があるか否かを判断する（Ｓ２）。
【００２５】
ここで、ＣＰＵ１３は、番組画像を記憶するための空き領域がないと判断した場合（Ｓ２“ＮＯ”）、これ以上番組画像を記憶できない旨のメッセージをディスプレイに表示して、最初のステップ１の処理に戻る（Ｓ１１）。その際、ユーザに対して不揮発メモリ１２内の番組データ一覧を提示し、その中から消去すべき番組データを削除させるようにしても良いし、また別途記憶した番組データ一覧を提示させるコマンドを用意し、そのコマンドを受信したら、その中で不必要な番組データを削除させるようにしても良い。
【００２６】
これに対し、番組画像を記憶するための空き領域があると判断した場合（Ｓ２“ＹＥＳ”）、ＣＰＵ１３は、現在復号中の番組の映像データから番組画像１枚分を取り出す（Ｓ３）。ここで、その番組画像は、フレーム画像でも、フィールド画像でも、どちらでも良く、そのサイズをＳとする。また、番組画像取り出しの際、あるいは番組画像取り出し後、フレーム画像の記憶容量やサイズが大きい場合には、適宜、縮小するようにしても良い。また、不揮発性メモリ１２に容量があるのであれば、番組画像１枚分でなくても、数秒間など、所定枚数の番組画像を記憶するようにしても勿論よい。
【００２７】
次に、ＣＰＵ１３は、放送番組とは別に放送波またはインターネット等により受信している電子番組表の番組データから現在視聴中の番組、すなわち番組データを抽出し（Ｓ４）、抽出した番組データの中から番組名、放送時間を取り出す（Ｓ５）。
【００２８】
次に、ＣＰＵ１３は、視聴中の放送番組から取り込んだ番組画像と、そのサイズや、その番組の名前、その番組が放送されている時間等を互いに関連付けて記憶するため、不揮発性メモリ１２にこれまで記憶した番組画像のうちから最新の番組画像の番組データ番号およびデータを取り出し（Ｓ６）、この取り出した番組画像の番組データ番号に１をプラスしてそれを先ほど視聴中の番組から取り込んだ番組画像の番組データ番号とすると共に（Ｓ７）、新たに取り込んだ番組画像を不揮発性メモリ１２に蓄えるためのメモリアドレスを算出するため、取り出した番組画像の映像データアドレスにその取り込んだデータサイズＳを足す等して新たに取り込んだ番組画像の映像データアドレスＡとする（Ｓ８）。なお、アドレスの設定は、この方法に限定されるものではなく、要は、取り込んだ番組画像が不揮発性メモリ１２に記憶し、読み出せれば十分である。
【００２９】
そして、ＣＰＵ１３は、Ｓ７により作成した新たに取り込んだ番組画像の番組データ番号と、電子番組表より取り込んだ番組名および放送時間と、Ｓ８により作成した映像データアドレスＡと、Ｓ３により検出した映像データサイズＳとを一組として不揮発性メモリ１２に記憶すると共に（Ｓ９）、その映像データアドレスＡが示す不揮発性メモリ１２のデータ格納領域に新たに取り込んだ番組画像を記憶して（Ｓ１０）、最初のステップＳ１の処理に戻る。
【００３０】
これで、新たにキャプチャした番組画像の不揮発性メモリ１２への記憶処理は終了する。
【００３１】
なお、不揮発性メモリ１２に番組画像毎に記憶された互いに関連付けられた各データを１セットとして見なし、単に番組データと呼ぶこととする。例えば、番号１に対して番組Ａの映像データ、映像データサイズ、番組名、番組が放送されている時間を割り当て、番号２に対して同様に番組Ｂの番組データを割り当てると言った具合に、ユーザがキャプチャボタン１９を押す毎に不揮発性メモリ１２に記憶させていく。この動作を「番組Ａ（またはＢ）を登録する」と呼ぶ。
【００３２】
この時、これから記憶させようとしている番組データの番組名が、これまで不揮発性メモリ１２に記憶させているものと重複している時は、その番号ｎに対して上書きする。あるいは、既に記憶させているので不揮発性メモリ１２には記憶させないなどしても良い。
【００３３】
以上の処理により、ユーザが再度視聴を欲する番組の番組画像を取り込み不揮発性メモリ１２に記憶することができる。
【００３４】
次に、不揮発性メモリ１２に記憶した番組画像を利用した電子番組表の表示処理について説明する。
【００３５】
図４は、本実施の形態１における番組画像の表示手順を示すフローチャートである。
【００３６】
まず、図３のような番組画像取込み処理により、ユーザが既に、再度視聴を欲する番組の番組画像を取り込み不揮発性メモリ１２に記憶した後、別のある時間に、ユーザがリモコン１８の「電子番組表」ボタン２０を押して、デジタル放送受信装置の画面に電子番組表を提示させようとしたとすると、ＣＰＵ１３がリモコンＩ／Ｆ１１を介してその電子番組表の表示指令を認識する（Ｓ２１）。
【００３７】
ここで、リモコン１８からの信号を認識したＣＰＵ１３は、テレビ画面上に掲載される電子番組表の番組１つ１つについて、前述の不揮発性メモリ１２に記憶された番組データの番組名と一致するかどうかを比較する（Ｓ２２）。この作業を不揮発性メモリ１２に記憶された番組画像の番組データの数だけ繰り返す（Ｓ２２〜Ｓ３１）。
【００３８】
つまり、まず、ＣＰＵ１３は、電子番組表５１に掲載される番組を特定するために付けられた番号ｎと、不揮発性メモリ１２に記憶された番組画像の番組データを特定するために付けられた番号ｍとをそれぞれ初期値の１にセットして（Ｓ２３）、電子番組表５１に掲載されているｎ番目の番組の番組名と、不揮発性メモリ１２に記憶されたｍ番目のｍ番目の番組画像の番組名とを比較し（Ｓ２４）、一致しているか否かを判断する（Ｓ２５）。
【００３９】
ここで、一致しない場合は（Ｓ２５“ＮＯ”）、不揮発性メモリ１２に記憶されたｍ番目の番組画像の番号ｍが最後の番号であるか否かを判断して（Ｓ２７）、最後の番号でなければ（Ｓ２７“ＮＯ”）、番組画像の番号ｍを１インクリメントして（Ｓ３０）、ステップＳ２４の電子番組表５１に掲載されたｎ番目の番組名と、不揮発性メモリ１２に記憶されたｍ番目の番組画像の番組名との比較処理に戻る。
【００４０】
これに対し、番組画像の番号ｍは最後の番号の場合（Ｓ２７“ＹＥＳ”）、続いて電子番組表５１に掲載された番組に付された番号ｎが最後の番号か否かを判断して（Ｓ２８）、一致しない場合は（Ｓ２８“ＮＯ”）、番組データの番号ｍを初期値である１にすると共に、ｎを１インクリメントして（Ｓ２９）、ステップＳ２４の電子番組表５１に掲載されたｎ番目の番組名と、不揮発性メモリ１２に記憶されたｍ番目の番組画像の番組名との比較処理に戻る。
【００４１】
そして、不揮発性メモリ１２に記憶された番組画像の番号ｍが最後の番号であり（Ｓ２７“ＹＥＳ”）、かつ、電子番組表５１に掲載された番組に付された番号ｎも最後の番号である場合（Ｓ２８“ＹＥＳ”）、現在表示されている電子番組表５１の掲載された番組について、過去に番組画像が取り込まれ記憶されていないということになるので、通常の電子番組表を表示するようにする（Ｓ３１）。
【００４２】
一方、電子番組表５１に掲載されたｎ番目の番組名と、ｍ番目の番組画像の番組名とが一致した場合は（Ｓ２５“ＹＥＳ”）、画面に提示する電子番組表におけるその番組が他の番組より目立つように色を変えたり、輝度を上げる等して表示するようにする（Ｓ２６）。
【００４３】
図５は、本実施の形態１による表示される電子番組表の一例を示す図である。
【００４４】
図５に示す電子番組表５１では、“連続ドラマ小説”、“日曜美術館”、“世界の絵本”という３つの番組について、以前リモコン１８のキャプチャボタン１９が押下され、その放送番組から番組画像を取り込み不揮発性メモリ１２に記憶されているので、その電子番組表５１のラテ欄５２における“連続ドラマ小説”、“日曜美術館”、“世界の絵本”の番組の番組内容紹介欄５２ａ〜５２ｃは、目立つように色を変えたり、輝度を上げる等して表示されている。
【００４５】
そして、リモコン１８の操作によってその電子番組表５１のラテ欄５２における番組内容紹介欄５２ａ〜５２ｃにカーソルが一致した時に、電子番組表５１におけるラテ欄５２とは別の番組画像表示欄５３に、そのカーソルが一致した番組の過去に放送された番組から取り込まれた番組画像５４が表示される。なお、図５では、“連続ドラマ小説”の番組内容紹介欄５２ａにカーソルが位置しているので、番組画像表示欄５３に“連続ドラマ小説”の放送番組からキャプチャされ記憶された番組画像５４が番組画像表示欄５３に表示されることになる。
【００４６】
これにより、ユーザがキャプチャした番組の番組画像５４は、番組画像表示欄５３に目立つように表示されるので、テレビ画面に電子番組表５１が表示された時に、ユーザがまた見たいと思っている番組を一目で見つけることができる共に、その番組の番組画像５４も共に表示することによって、ユーザが過去にその番組を登録した経緯を忘れてしまっても、番組画像５４を見ることによってそれを思い出すことを容易にすることができる。
【００４７】
このように、本実施の形態１によれば、ユーザがある放送番組を視聴している際、リモコン１８のキャプチャボタン１９が押下された場合、その放送番組から番組画像を取り込み記憶し、電子番組表５１を表示し、その番組がカーソル等により指定された際、その記憶された番組画像５４を表示するようにしたので、ユーザはその番組画像を参照して電子番組表５１から好みの放送番組を選択することが可能であり、ユーザが視聴を欲する番組を簡単に見つけることができ、視認性を高めることができると共に、ユーザが最も印象強いと思ったシーンをユーザ自身が指定できるので、番組名との一致性をより向上させることができる。
【００４８】
なお、上記実施の形態１では、一つの放送番組には一つの番組画像という前提で説明したが、一つの放送番組で複数の番組画像を取り込み記憶され、電子番組表５１でその放送番組が指定された場合、複数の番組画像が不揮発性メモリ１２に記憶されるので、その放送番組が指定されている間、所定時間毎にサイクリックにその複数の番組画像が表示されるようにしても勿論よい。
【００４９】
実施の形態２．
上記実施の形態１では、リモコン１８のキャプチャボタン１９が押下された場合、その放送番組から番組画像を取り込み不揮発性メモリ１２に記憶し、電子番組表を表示しても、カーソルがその番組を指定しなければ、番組画像５４は番組画像表示欄５３に表示されなかったが、本実施の形態２では、電子番組表５１が表示された際、カーソル等による番組の指定なしに、その電子番組表５１に表示されている各番組の中で以前番組画像が取り込まれ記憶されている番組画像５４を自動的に番組画像表示欄５３に表示するようにしても良い。
【００５０】
その際、その電子番組表５１に表示されている各番組の中で以前番組画像が取り込まれ記憶されている放送番組が一つであれば、その番組画像５４を電子番組表５１の番組画像表示欄５３に一つ表示すれば問題ないが、図５に示す電子番組表５１のように、“連続ドラマ小説”、“日曜美術館”、“世界の絵本”という３つの番組について、以前リモコン１８のキャプチャボタン１９が押下され、その放送番組から番組画像５４を取り込み不揮発性メモリ１２に記憶されているので、この３つの番組の番組画像５４を順に所定時間ずつサイクリックに電子番組表５１の番組画像表示欄５３に表示する。
【００５１】
なお、電子番組表５１の番組画像表示欄５３に所定時間ずつサイクリックに複数の番組画像５４が表示される際、現在番組画像が表示されている番組の番組内容表示欄は、他の番組の電子番組表示欄や、他の番組画像５４が記憶されている番組の電子番組表示欄と比較して、明るさや色等により、より目立つように表示するようにしても良い。
【００５２】
これにより、本実施の形態２では、電子番組表５１のラテ欄５２の各番組画像表示欄６２ａに直接取り込んだ番組画像を表示し、他の番組画像表示欄より目立つので、電子番組表５１のラテ欄５２において番組画像を取り込まれた番組の各番組画像表示欄を目立つように色を変えたり、輝度を上げる等して表示する必要もなくなる。
【００５３】
このように、本実施の形態２によれば、ユーザがある放送番組を視聴している際、リモコン１８のキャプチャボタン１９が押下された場合、その放送番組から番組画像を取り込み記憶し、電子番組表５２を表示した際、その記憶された番組画像５４を表示するようにしたので、ユーザはその番組画像を参照して電子番組表から好みの放送番組を選択することが可能であり、ユーザが視聴を欲する番組をビジュアル的に簡単に見つけることができ、視認性を高めることができると共に、ユーザが最も印象強いと思ったシーンをユーザ自身が指定できるので、番組名との一致性をより向上させることができる。
【００５４】
特に、本実施の形態２では、実施の形態１の場合とは異なり、電子番組表５１において番組画像５４を取り込んだ番組を指定しなくても、その番組画像表示欄５３に自動的に番組画像５４が表示されるので、電子番組表５１を表示するだけで、その電子番組表５１において番組画像５４が取り込まれた番組の過去の内容を簡単に把握することができる。
【００５５】
実施の形態３．
上記実施の形態１，２では、放送番組から番組画像を取り込み不揮発性メモリ１２に記憶した番組画像を、各番組の内容がチャンネルおよび時間帯ごとに表示されるラテ欄５２以外の番組画像表示欄５３に表示されるように説明したが、この実施の形態３では、ラテ欄以外の番組画像表示欄ではなく、ラテ欄のその番組の番組内容紹介欄に重ねて表示するようにしたものである。
【００５６】
図６は、この実施の形態３による電子番組表６１の表示例を示す図である。
【００５７】
この実施の形態３の電子番組表６１には、番組画像表示欄が設けられてなく、電子番組表６１のラテ欄６２であって、番組画像が取り込まれ記憶された番組の番組内容紹介欄６２ａ，６２ｂの上にその番組画像６３が直接表示される。
【００５８】
番組画像６３がその番組の番組内容紹介欄６２ａ，６２ｂの上に表示されるタイミングは、上記実施の形態１で説明したように、カーソルがその番組の番組内容紹介欄６２ａ，６２ｂの上の位置したとき、その番組内容紹介欄６２ａ，６２ｂの上に重ねて表示されても良いし、さらには、カーソルがその番組の番組内容紹介欄６２ａ，６２ｂの上に位置することとは関係なしに、所定時間毎に番組内容紹介欄６２ａ，６２ｂの上に番組内容と、番組画像６３とが交互に表示されるようにしても勿論良い。なお、図６に示す電子番組表６１では、番組内容紹介欄６２ｂの上に“連続ドラマ小説”の過去の番組から取り込まれた番組画像６３が表示された状態を示しており、番組内容紹介欄６２ａの上にも図示していないが“日曜美術館”の過去の番組から取り込まれた番組画像が表示される。
【００５９】
その際、番組画像が取り込まれ記憶された番組の番組内容紹介欄６２ａの上に表示される番組画像６３は、その番組紹介欄６２ａ，６２ｂの枠内に収まるように表示しても良いし、その番組紹介欄６２ａ，６２ｂの枠外にはみ出すように表示しても良い。
【００６０】
このように、本実施の形態３によれば、ユーザがある放送番組を視聴している際、リモコン１８のキャプチャボタン１９が押下された場合、その放送番組から番組画像６３を取り込み記憶し、電子番組表６１を表示した際、その記憶された番組画像６３を表示するようにしたので、ユーザはその番組画像６３を参照して電子番組表６１から好みの放送番組を選択することが可能であり、ユーザが視聴を欲する番組をビジュアル的に簡単に見つけることができ、視認性を高めることができると共に、ユーザが最も印象強いと思ったシーンをユーザ自身が指定できるので、番組名との一致性をより向上させることができる。
【００６１】
特に、本実施の形態３では、実施の形態１，２の場合とは異なり、視聴している放送番組から取り込み記憶した番組画像６３を電子番組表６１のラテ欄６２の各番組画像表示欄６２ａ，６２ｂに直接重ねて表示するようにしたので、電子番組表６１に番組画像表示欄を設ける必要がなくなり、ラテ欄６２の領域を十分に確保しつつも電子番組表６１において放送番組から取り込んだ番組画像を表示することが可能となる。
【００６２】
なお、上記実施の形態１〜３の説明では、視聴中の番組に対しキャプチャボタン１９が１回しか押下されず、しかもその押下の際の番組画像を１つだけ取り込むように説明したが、本発明では、これに限らず、キャプチャボタン１９が複数回押下された場合には、自動的に前に取り込んだ番組画像を上書きして更新していってもよいし、さらには、キャプチャボタン１９が１回押下されたらその後は自動的にＣＰＵ１３がその放送番組のデータからシーンチェンジや、ＣＭ終了後の開始画像を取り込んだり、さらには、エンディングテーマ演奏時の始まり時の画像や、次回予告時の番組画像を取り込み、その都度、あるいはその番組放送終了後、さらにはテレビの電源を切るときにディスプレイに一覧表示してユーザに選択させるようにしても良いし、複数の番組画像を所定数だけ記憶しておき（例えば、ユーザが１番組あたり５個とか、１０個とか設定する）、電子番組表を表示してその番組を選択した際には、複数の番組画像が番組画像表示欄５３やラテ欄の番組内容紹介欄にサイクリックに表示されるようにしても勿論よい。
【図面の簡単な説明】
【００６３】
【図１】本発明に係るデジタル放送受信装置の構成例を示すブロック図である。
【図２】図１に示すリモコン１８の外観の一例を示す図である。
【図３】本実施の形態１における番組画像の取得処理手順を示すフローチャートである。
【図４】実施の形態１における番組画像の表示手順を示すフローチャートである。
【図５】実施の形態１，２による電子番組表５１の一例を示す図である。
【図６】実施の形態３による電子番組表６１の表示例を示す図である。
【符号の説明】
【００６４】
１  アンテナ、２  チューナ、３  多重分離部、４  放送番組画像復号部、５  効果音再生部、６  グラフィックス映像ミックス部、７  映像出力部、８  放送音声データ復号部、９  音声合成部、１０  音声出力部、１１  リモコンＩ／Ｆ、１２  不揮発性メモリ、１３  ＣＰＵ１３、１４  作業メモリ、１５  プログラムメモリ、１６  バス、１７  デジタル放送受信装置、１８  リモコン，５１，６１  電子番組表。
【図１】
2008187442.tif 000003
【図２】
2008187442.tif 000004
【図３】
2008187442.tif 000005
【図４】
2008187442.tif 000006
【図５】
2008187442.tif 000007
【図６】
2008187442.tif 000008